【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
少なくとも一つのコンピュータ・ハードウェア・プロセッサと；
前記少なくとも一つのコンピュータ・ハードウェア・プロセッサによって実行されたときに前記少なくとも一つのコンピュータ・ハードウェア・プロセッサに、低磁場磁気共鳴撮像（MRI）装置内に位置される患者の脳における異常のサイズの変化を判別する方法を実行させるプロセッサ実行可能命令を記憶している少なくとも一つの非一時的コンピュータ可読記憶媒体とを有するシステムであって、前記方法は：
患者が前記低磁場MRI装置内に位置されたままである間に：
患者の脳の第一の磁気共鳴（MR）画像データを取得し；
前記第一のMR画像データを、トレーニングされた統計的分類器に入力として提供して、対応する第一の出力を得て；
前記第一の出力を使って、患者の脳における異常のサイズを示す少なくとも一つの特徴の少なくとも一つの初期値を同定し；
前記第一のMR画像データを取得した後に患者の脳の第二のMR画像データを取得し；
前記第二のMR画像データを、前記トレーニングされた統計的分類器に入力として提供して、対応する第二の出力を得て；
前記第二の出力を使って、患者の脳における前記異常のサイズを示す前記少なくとも一つの特徴の少なくとも一つの更新された値を同定し；
前記少なくとも一つの特徴の前記少なくとも一つの初期値と前記少なくとも一つの特徴の前記少なくとも一つの更新された値とを使って前記異常のサイズの変化を決定することを含む、
システム。
【請求項２】
前記第一の出力を使って、患者の脳における異常のサイズを示す少なくとも一つの特徴の少なくとも一つの初期値を同定することが：
前記異常を含む前記MR画像データにおける領域を同定することを含む、
請求項１記載のシステム。
【請求項３】
前記第一の出力を使って、患者の脳における異常のサイズを示す少なくとも一つの特徴の少なくとも一つの初期値を同定することが：
前記異常の第一の直径を示す一つまたは複数の第一の値を同定することを含む、
請求項１記載のシステム。
【請求項４】
前記同定することがさらに、前記第一の直径と直交する前記異常の第二の直径を示す一つまたは複数の第二の値を同定することを含む、請求項３記載のシステム。
【請求項５】
前記少なくとも一つの特徴の前記少なくとも一つの初期値と前記少なくとも一つの特徴の前記少なくとも一つの更新された値とを使って前記異常のサイズの変化を決定することが：
前記少なくとも一つの特徴の前記少なくとも一つの値を使って前記異常の初期サイズを決定し；
前記少なくとも一つの特徴の前記少なくとも一つの更新された値を使って前記異常の更新されたサイズを決定し；
前記異常の決定された初期サイズおよび更新されたサイズを使って前記異常のサイズにおける変化を決定することを含む、
請求項１記載のシステム。
【請求項６】
前記トレーニングされた統計的分類器は、多層ニューラルネットワーク、畳み込みニューラルネットワーク、および／または全層畳み込みニューラルネットワークを含む、請求項１記載のシステム。
【請求項７】
前記第二のMR画像データが前記第一のMR画像データの１時間以内に取得される、請求項１記載のシステム。
【請求項８】
MR画像データを取得することを繰り返して、MR画像データのフレームのシーケンスを得ることをさらに含む、請求項１記載のシステム。
【請求項９】
前記フレームのシーケンスが、患者が前記低磁場磁気共鳴撮像装置内に位置されたままである間に、１時間より長い時間期間にわたって取得される、請求項８記載のシステム。
【請求項１０】
前記フレームのシーケンスが、患者が前記低磁場磁気共鳴撮像装置内に位置されたままである間に、２時間より長い時間期間にわたって取得される、請求項８記載のシステム。
【請求項１１】
前記フレームのシーケンスが、患者が前記低磁場磁気共鳴撮像装置内に位置されたままである間に、５時間より長い時間期間にわたって取得される、請求項８記載のシステム。
【請求項１２】
前記異常が出血、病変、浮腫、卒中核、卒中周縁部および／または膨潤を含む、請求項１記載のシステム。
【請求項１３】
前記低磁場磁気共鳴撮像（MRI）装置をさらに有しており、前記低磁場MRI装置は：
少なくとも部分的にB0磁場を生成するよう構成されたB0磁石；
磁気共鳴データを空間的にエンコードするよう構成された少なくとも一つの傾斜磁石；および
磁気共鳴応答を誘発するよう構成された少なくとも一つの高周波コイルおよび動作させられたときに磁気共鳴画像データを取得するよう構成された検出磁気コンポーネント
を含む複数の磁気コンポーネントを有しており；
前記少なくとも一つの非一時的コンピュータ可読記憶媒体はさらに、前記少なくとも一つのコンピュータ・ハードウェア・プロセッサによって実行されたとき、患者が前記低磁場磁気共鳴装置内に位置されたままである間に、患者の脳の前記第一の磁気共鳴（MR）画像データを取得し、前記第一のMR画像データを取得した後に患者の脳の第二のMR画像データを取得するよう前記複数の磁石コンポーネントを動作させるプロセッサ実行可能命令を記憶している、請求項１記載のシステム。
【請求項１４】
少なくとも一つのコンピュータ・ハードウェア・プロセッサによって実行されたときに該少なくとも一つのコンピュータ・ハードウェア・プロセッサに、低磁場磁気共鳴撮像（MRI）装置内に位置される患者の脳における異常のサイズの変化を判別する方法を実行させるプロセッサ実行可能命令を記憶している少なくとも一つの非一時的コンピュータ可読記憶媒体であって、前記方法は：
患者が前記低磁場MRI装置内に位置されたままである間に：
患者の脳の第一の磁気共鳴（MR）画像データを取得し；
前記第一のMR画像データを、トレーニングされた統計的分類器に入力として提供して、対応する第一の出力を得て；
前記第一の出力を使って、患者の脳における異常のサイズを示す少なくとも一つの特徴の少なくとも一つの初期値を同定し；
前記第一のMR画像データを取得した後に患者の脳の第二のMR画像データを取得し；
前記第二のMR画像データを、前記トレーニングされた統計的分類器に入力として提供して、対応する第二の出力を得て；
前記第二の出力を使って、患者の脳における前記異常のサイズを示す前記少なくとも一つの特徴の少なくとも一つの更新された値を同定し；
前記少なくとも一つの特徴の前記少なくとも一つの初期値と前記少なくとも一つの特徴の前記少なくとも一つの更新された値とを使って前記異常のサイズの変化を決定することを含む、
媒体。
【請求項１５】
低磁場磁気共鳴撮像（MRI）装置内に位置される患者の脳における異常のサイズの変化を判別する方法であって、当該方法は：
患者が前記低磁場MRI装置内に位置されたままである間に：
患者の脳の第一の磁気共鳴（MR）画像データを取得し；
前記第一のMR画像データを、トレーニングされた統計的分類器に入力として提供して、対応する第一の出力を得て；
前記第一の出力を使って、患者の脳における異常のサイズを示す少なくとも一つの特徴の少なくとも一つの初期値を同定し；
前記第一のMR画像データを取得した後に患者の脳の第二のMR画像データを取得し；
前記第二のMR画像データを、前記トレーニングされた統計的分類器に入力として提供して、対応する第二の出力を得て；
前記第二の出力を使って、患者の脳における前記異常のサイズを示す前記少なくとも一つの特徴の少なくとも一つの更新された値を同定し；
前記少なくとも一つの特徴の前記少なくとも一つの初期値と前記少なくとも一つの特徴の前記少なくとも一つの更新された値とを使って前記異常のサイズの変化を決定することを含む、
方法。
【手続補正２】
【補正対象書類名】明細書
【補正対象項目名】０２１７
【補正方法】変更
【補正の内容】
【０２１７】
請求項および上記の明細書において、「有する」「含む」「担持する」「もつ」「包含する」「関わる」「保持する」「構成される」などといったあらゆる移行句はオープンなものと理解される。すなわち、含むがそれに限定されないことを意味する。「…からなる」および「本質的には…からなる」という移行句のみが、それぞれクローズドまたは半クローズドの移行句である。
いくつかの態様を記載しておく。
〔態様１〕
低磁場磁気共鳴撮像（MRI）装置内に位置される患者の脳における正中線偏位の度合いの変化を検出する方法であって、当該方法は：
患者が前記低磁場MRI装置内に位置されたままである間に：
患者の脳の第一の磁気共鳴（MR）画像データを取得し；
前記第一のMRデータを、トレーニングされた統計的分類器に入力として提供して、対応する第一の出力を得て；
前記第一の出力から、患者の脳の少なくとも一つの正中線構造に関連する少なくとも一つの目印の少なくとも一つの初期位置を識別し；
前記第一のMR画像データを取得した後に患者の脳の第二のMR画像データを取得し；
前記第二のMR画像データを、前記トレーニングされた統計的分類器に入力として提供して、対応する第二の出力を得て；
前記第二の出力から、患者の脳の前記少なくとも一つの正中線構造に関連する前記少なくとも一つの目印の少なくとも一つの更新された位置を識別し；
前記少なくとも一つの目印の前記少なくとも一つの初期位置と前記少なくとも一つの目印の前記少なくとも一つの更新された位置とを使って前記正中線偏位における変化の度合いを決定することを含む、
方法。
〔態様２〕
前記第一の出力から患者の脳の少なくとも一つの正中線構造に関連する少なくとも一つの目印の少なくとも一つの初期位置を識別することは：
大脳鎌の前付着点の初期位置を識別すること；
大脳鎌の後付着点の初期位置を識別すること；および
透明中隔上の測定点の初期位置を識別することを含む、
態様１記載の方法。
〔態様３〕
前記大脳鎌の前付着点、前記大脳鎌の後付着点および前記透明中隔上の測定点の識別された初期位置を使って正中線偏位の初期量を決定する、態様２記載の方法。
〔態様４〕
前記第二の出力から、患者の脳の前記少なくとも一つの正中線構造に関連する前記少なくとも一つの目印の少なくとも一つの更新された位置を識別することは：
大脳鎌の前付着点の更新された位置を識別すること；
大脳鎌の後付着点の更新された位置を識別すること；および
透明中隔上の測定点の更新された位置を識別することを含む、
態様２記載の方法。
〔態様５〕
正中線偏位における変化の度合いを決定することは、大脳鎌の前付着点、大脳鎌の後付着点および透明中隔上の測定点の識別された初期位置および更新された位置を使って実行される、態様４記載の方法。
〔態様６〕
正中線偏位における変化の度合いを決定することは：
大脳鎌の前付着点、大脳鎌の後付着点および透明中隔上の測定点の識別された初期位置を使って正中線偏位の初期量を決定し；
大脳鎌の前付着点、大脳鎌の後付着点および透明中隔上の測定点の識別された更新された位置を使って正中線偏位の更新された量を決定し；
正中線偏位の決定された初期量および更新された量を使って正中線偏位における変化の度合いを決定することを含む、
態様５記載の方法。
〔態様７〕
前記トレーニングされた統計的分類器は、多層ニューラルネットワークを含む、態様１記載の方法。
〔態様８〕
前記トレーニングされた統計的分類器は、畳み込みニューラルネットワークを含む、態様１記載の方法。
〔態様９〕
前記トレーニングされた統計的分類器は、全層畳み込みニューラルネットワークを含む、態様１記載の方法。
〔態様１０〕
前記トレーニングされた統計的分類器は、畳み込みニューラルネットワークおよびリカレントニューラルネットワークを含む、態様１記載の方法。
〔態様１１〕
前記リカレントニューラルネットワークは長短期記憶ニューラルネットワークを含む、態様１０記載の方法。
〔態様１２〕
前記第二のMR画像データが前記第一のMR画像データの１時間以内に取得される、態様１記載の方法。
〔態様１３〕
MR画像データを取得することを繰り返して、MR画像データのフレームのシーケンスを得ることをさらに含む、態様１記載の方法。
〔態様１４〕
前記フレームのシーケンスが、患者が前記低磁場磁気共鳴撮像装置内に位置されたままである間に、１時間より長い時間期間にわたって取得される、態様１記載の方法。
〔態様１５〕
前記フレームのシーケンスが、患者が前記低磁場磁気共鳴撮像装置内に位置されたままである間に、２時間より長い時間期間にわたって取得される、態様１３記載の方法。
〔態様１６〕
前記フレームのシーケンスが、患者が前記低磁場磁気共鳴撮像装置内に位置されたままである間に、５時間より長い時間期間にわたって取得される、態様１３記載の方法。
〔態様１７〕
低磁場磁気共鳴撮像（MRI）装置内に位置される患者の脳における正中線偏位の度合いの変化を検出するよう構成された低磁場磁気共鳴撮像装置であって、当該低磁場MRI装置は：
少なくとも部分的にB0磁場を生成するよう構成されたB0磁石；磁気共鳴データを空間的にエンコードするよう構成された少なくとも一つの傾斜磁石；および磁気共鳴応答を誘発するよう構成された少なくとも一つの高周波コイルおよび動作させられたときに磁気共鳴画像データを取得するよう構成された検出磁気コンポーネントを含む複数の磁気コンポーネントと；
患者が当該低磁場磁気共鳴撮像装置内に位置されたままである間に、患者の脳の第一の磁気共鳴（MR）画像データを取得し、前記第一のMR画像データを取得した後に患者の脳の前記部分についての第二のMR画像データを取得するよう前記複数の磁気コンポーネントを動作させるよう構成された少なくとも一つのコントローラとを有し、
前記少なくとも一つのコントローラはさらに：
前記第一および第二のMR画像データを、トレーニングされた統計的分類器に入力として提供して、対応する第一の出力および第二の出力を得て；
前記第一の出力から、患者の脳の少なくとも一つの正中線構造に関連する少なくとも一つの目印の少なくとも一つの初期位置を識別し；
前記第二の出力から、患者の脳の前記少なくとも一つの正中線構造に関連する前記少なくとも一つの目印の少なくとも一つの更新された位置を識別し；
前記少なくとも一つの目印の前記少なくとも一つの初期位置と前記少なくとも一つの目印の前記少なくとも一つの更新された位置とを使って前記正中線偏位における変化の度合いを決定することを実行するよう構成される、
装置。
〔態様１８〕
少なくとも一つのコンピュータ・ハードウェア・プロセッサによって実行されたときに該少なくとも一つのコンピュータ・ハードウェア・プロセッサに、低磁場磁気共鳴撮像（MRI）装置内に位置される患者の脳における正中線偏位の度合いの変化を検出する方法を実行させるプロセッサ実行可能命令を記憶している少なくとも一つの非一時的コンピュータ可読記憶媒体であって、前記方法は：
患者が前記低磁場MRI装置内に位置されたままである間に：
患者の脳の第一の磁気共鳴（MR）画像データを取得し；
前記第一のMRデータを、トレーニングされた統計的分類器に入力として提供して、対応する第一の出力を得て；
前記第一の出力から、患者の脳の少なくとも一つの正中線構造に関連する少なくとも一つの目印の少なくとも一つの初期位置を識別し；
前記第一のMR画像データを取得した後に患者の脳の第二のMR画像データを取得し；
前記第二のMR画像データを、前記トレーニングされた統計的分類器に入力として提供して、対応する第二の出力を得て；
前記第二の出力から、患者の脳の前記少なくとも一つの正中線構造に関連する前記少なくとも一つの目印の少なくとも一つの更新された位置を識別し；
前記少なくとも一つの目印の前記少なくとも一つの初期位置と前記少なくとも一つの目印の前記少なくとも一つの更新された位置とを使って前記正中線偏位における変化の度合いを決定することを含む、
媒体。
〔態様１９〕
少なくとも一つのコンピュータ・ハードウェア・プロセッサと；
前記少なくとも一つのコンピュータ・ハードウェア・プロセッサによって実行されたときに前記少なくとも一つのコンピュータ・ハードウェア・プロセッサに、低磁場磁気共鳴撮像（MRI）装置内に位置される患者の脳における正中線偏位の度合いの変化を検出する方法を実行させるプロセッサ実行可能命令を記憶している少なくとも一つの非一時的コンピュータ可読記憶媒体とを有するシステムであって、前記方法は：
患者が前記低磁場MRI装置内に位置されたままである間に：
患者の脳の第一の磁気共鳴（MR）画像データを取得し；
前記第一のMRデータを、トレーニングされた統計的分類器に入力として提供して、対応する第一の出力を得て；
前記第一の出力から、患者の脳の少なくとも一つの正中線構造に関連する少なくとも一つの目印の少なくとも一つの初期位置を識別し；
前記第一のMR画像データを取得した後に患者の脳の第二のMR画像データを取得し；
前記第二のMR画像データを、前記トレーニングされた統計的分類器に入力として提供して、対応する第二の出力を得て；
前記第二の出力から、患者の脳の前記少なくとも一つの正中線構造に関連する前記少なくとも一つの目印の少なくとも一つの更新された位置を識別し；
前記少なくとも一つの目印の前記少なくとも一つの初期位置と前記少なくとも一つの目印の前記少なくとも一つの更新された位置とを使って前記正中線偏位における変化の度合いを決定することを含む、
システム。
〔態様２０〕
低磁場磁気共鳴撮像（MRI）装置内に位置される患者の脳における異常のサイズの変化を判別する方法であって、当該方法は：
患者が前記低磁場MRI装置内に位置されたままである間に：
患者の脳の第一の磁気共鳴（MR）画像データを取得し；
前記第一のMR画像データを、トレーニングされた統計的分類器に入力として提供して、対応する第一の出力を得て；
前記第一の出力を使って、患者の脳における異常のサイズを示す少なくとも一つの特徴の少なくとも一つの初期値を同定し；
前記第一のMR画像データを取得した後に患者の脳の第二のMR画像データを取得し；
前記第二のMR画像データを、前記トレーニングされた統計的分類器に入力として提供して、対応する第二の出力を得て；
前記第二の出力を使って、患者の脳における前記異常のサイズを示す前記少なくとも一つの特徴の少なくとも一つの更新された値を同定し；
前記少なくとも一つの特徴の前記少なくとも一つの初期値と前記少なくとも一つの特徴の前記少なくとも一つの更新された値とを使って前記異常のサイズの変化を決定することを含む、
方法。
〔態様２１〕
前記第一の出力を使って、患者の脳における異常のサイズを示す少なくとも一つの特徴の少なくとも一つの初期値を同定することが：
前記異常を含む前記MR画像データにおける領域を同定することを含む、
態様２０記載の方法。
〔態様２２〕
前記第一の出力を使って、患者の脳における異常のサイズを示す少なくとも一つの特徴の少なくとも一つの初期値を同定することが：
前記異常の第一の直径を示す一つまたは複数の第一の値を同定することを含む、
態様２０記載の方法。
〔態様２３〕
前記同定することがさらに、前記第一の直径と直交する前記異常の第二の直径を示す一つまたは複数の第二の値を同定することを含む、態様２２記載の方法。
〔態様２４〕
前記少なくとも一つの特徴の前記少なくとも一つの初期値と前記少なくとも一つの特徴の前記少なくとも一つの更新された値とを使って前記異常のサイズの変化を決定することが：
前記少なくとも一つの特徴の前記少なくとも一つの値を使って前記異常の初期サイズを決定し；
前記少なくとも一つの特徴の前記少なくとも一つの更新された値を使って前記異常の更新されたサイズを決定し；
前記異常の決定された初期サイズおよび更新されたサイズを使って前記異常のサイズにおける変化を決定することを含む、
態様２０記載の方法。
〔態様２５〕
前記トレーニングされた統計的分類器は、多層ニューラルネットワークを含む、態様２０記載の方法。
〔態様２６〕
前記トレーニングされた統計的分類器は、畳み込みニューラルネットワークを含む、態様２０記載の方法。
〔態様２７〕
前記トレーニングされた統計的分類器は、全層畳み込みニューラルネットワークを含む、態様２０記載の方法。
〔態様２８〕
前記第二のMR画像データが前記第一のMR画像データの１時間以内に取得される、態様２０記載の方法。
〔態様２９〕
MR画像データを取得することを繰り返して、MR画像データのフレームのシーケンスを得ることをさらに含む、態様２０記載の方法。
〔態様３０〕
前記フレームのシーケンスが、患者が前記低磁場磁気共鳴撮像装置内に位置されたままである間に、１時間より長い時間期間にわたって取得される、態様２０記載の方法。
〔態様３１〕
前記フレームのシーケンスが、患者が前記低磁場磁気共鳴撮像装置内に位置されたままである間に、２時間より長い時間期間にわたって取得される、態様３０記載の方法。
〔態様３２〕
前記フレームのシーケンスが、患者が前記低磁場磁気共鳴撮像装置内に位置されたままである間に、５時間より長い時間期間にわたって取得される、態様３０記載の方法。
〔態様３３〕
前記異常が出血を含む、態様２０記載の方法。
〔態様３４〕
前記異常が出血、病変、浮腫、卒中核、卒中周縁部および／または膨潤を含む、態様２０記載の方法。
〔態様３５〕
患者の脳における異常のサイズの変化を判別するよう構成された低磁場磁気共鳴撮像（MRI）装置であって、当該低磁場MRI装置は：
少なくとも部分的にB0磁場を生成するよう構成されたB0磁石；磁気共鳴データを空間的にエンコードするよう構成された少なくとも一つの傾斜磁石；および磁気共鳴応答を誘発するよう構成された少なくとも一つの高周波コイルおよび動作させられたときに磁気共鳴画像データを取得するよう構成された検出磁気コンポーネントを含む複数の磁気コンポーネントと；
患者が前記低磁場磁気共鳴装置内に位置されたままである間に、患者の脳の第一の磁気共鳴（MR）画像データを取得し、前記第一のMR画像データを取得した後に患者の脳の第二のMR画像データを取得するよう前記複数の磁石コンポーネントを動作させるよう構成された少なくとも一つのコントローラとを有しており、
前記少なくとも一つのコントローラはさらに：
前記第一および第二のMR画像データを、トレーニングされた統計的分類器に入力として提供して、対応する第一の出力および第二の出力を得て；
前記第一の出力を使って、患者の脳における異常のサイズを示す少なくとも一つの特徴の少なくとも一つの初期値を同定し；
前記第一のMR画像データを取得した後に患者の脳の前記部分についての第二のMR画像データを取得し；
前記第二の出力を使って、患者の脳における前記異常のサイズを示す前記少なくとも一つの特徴の少なくとも一つの更新された値を同定し；
前記少なくとも一つの特徴の前記少なくとも一つの初期値と前記少なくとも一つの特徴の前記少なくとも一つの更新された値とを使って前記異常のサイズの変化を決定することを実行するよう構成される、
装置。
〔態様３６〕
少なくとも一つのコンピュータ・ハードウェア・プロセッサによって実行されたときに該少なくとも一つのコンピュータ・ハードウェア・プロセッサに、低磁場磁気共鳴撮像（MRI）装置内に位置される患者の脳における異常のサイズの変化を判別する方法を実行させるプロセッサ実行可能命令を記憶している少なくとも一つの非一時的コンピュータ可読記憶媒体であって、前記方法は：
患者が前記低磁場MRI装置内に位置されたままである間に：
患者の脳の第一の磁気共鳴（MR）画像データを取得し；
前記第一のMR画像データを、トレーニングされた統計的分類器に入力として提供して、対応する第一の出力を得て；
前記第一の出力を使って、患者の脳における異常のサイズを示す少なくとも一つの特徴の少なくとも一つの初期値を同定し；
前記第一のMR画像データを取得した後に患者の脳の第二のMR画像データを取得し；
前記第二のMR画像データを、前記トレーニングされた統計的分類器に入力として提供して、対応する第二の出力を得て；
前記第二の出力を使って、患者の脳における前記異常のサイズを示す前記少なくとも一つの特徴の少なくとも一つの更新された値を同定し；
前記少なくとも一つの特徴の前記少なくとも一つの初期値と前記少なくとも一つの特徴の前記少なくとも一つの更新された値とを使って前記異常のサイズの変化を決定することを含む、
媒体。
〔態様３７〕
少なくとも一つのコンピュータ・ハードウェア・プロセッサと；
前記少なくとも一つのコンピュータ・ハードウェア・プロセッサによって実行されたときに前記少なくとも一つのコンピュータ・ハードウェア・プロセッサに、低磁場磁気共鳴撮像（MRI）装置内に位置される患者の脳における異常のサイズの変化を判別する方法を実行させるプロセッサ実行可能命令を記憶している少なくとも一つの非一時的コンピュータ可読記憶媒体とを有するシステムであって、前記方法は：
患者が前記低磁場MRI装置内に位置されたままである間に：
患者の脳の第一の磁気共鳴（MR）画像データを取得し；
前記第一のMR画像データを、トレーニングされた統計的分類器に入力として提供して、対応する第一の出力を得て；
前記第一の出力を使って、患者の脳における異常のサイズを示す少なくとも一つの特徴の少なくとも一つの初期値を同定し；
前記第一のMR画像データを取得した後に患者の脳の第二のMR画像データを取得し；
前記第二のMR画像データを、前記トレーニングされた統計的分類器に入力として提供して、対応する第二の出力を得て；
前記第二の出力を使って、患者の脳における前記異常のサイズを示す前記少なくとも一つの特徴の少なくとも一つの更新された値を同定し；
前記少なくとも一つの特徴の前記少なくとも一つの初期値と前記少なくとも一つの特徴の前記少なくとも一つの更新された値とを使って前記異常のサイズの変化を決定することを含む、
システム。
〔態様３８〕
低磁場磁気共鳴撮像（MRI）装置内に位置される患者の生物学的主題における変化を検出する方法であって、当該方法は：
患者が前記低磁場MRI装置内に位置されたままである間に：
患者の一部分の第一の磁気共鳴画像データを取得し；
前記第一の磁気共鳴画像データを取得した後に患者の前記部分の第二の磁気共鳴画像データを取得し；
前記第一の磁気共鳴画像データおよび前記第二の磁気共鳴画像データを整列させ；
整列された第一の磁気共鳴画像データおよび第二の磁気共鳴画像データを比較して、患者の前記部分の前記生物学的主題における少なくとも一つの変化を検出することを含む、
方法。
〔態様３９〕
患者の前記部分の前記生物学的主題における前記少なくとも一つの変化に基づいて、少なくとも一つの取得パラメータを修正することをさらに含む、態様３８記載の方法。
〔態様４０〕
前記修正された少なくとも一つの取得パラメータを使って患者の前記部分の第三の磁気共鳴画像データを取得することをさらに含む、態様３９記載の方法。
〔態様４１〕
前記少なくとも一つの取得パラメータが、前記第三の磁気共鳴画像データの分解能、信号対雑音比および視野のうちの少なくとも一つを変えるよう修正される、態様４０記載の方法。
〔態様４２〕
磁気共鳴画像データを取得することを繰り返して、磁気共鳴画像データのフレームのシーケンスを得ることをさらに含む、態様３８記載の方法。
〔態様４３〕
前記フレームのシーケンスが、患者が前記低磁場磁気共鳴撮像装置内に位置されたままである間に、１時間より長い時間期間にわたって取得される、態様４２記載の方法。
〔態様４４〕
前記フレームのシーケンスが、患者が前記低磁場磁気共鳴撮像装置内に位置されたままである間に、２時間より長い時間期間にわたって取得される、態様４２記載の方法。
〔態様４５〕
前記フレームのシーケンスが、患者が前記低磁場磁気共鳴撮像装置内に位置されたままである間に、５時間より長い時間期間にわたって取得される、態様４２記載の方法。
〔態様４６〕
前記シーケンスのフレームのうち少なくとも二つのフレームを整列させ；
患者の前記部分の前記生物学的主題における少なくとも一つの変化を検出するよう、整列された前記少なくとも二つのフレームを比較することをさらに含む、
態様４２記載の方法。
〔態様４７〕
前記少なくとも一つの変化が、前記シーケンスのフレームのうち前記少なくとも二つのフレームの間での生物学的主題の体積および／または量の変化を計算するために使われる、態様４６記載の方法。
〔態様４８〕
フレームの前記シーケンスにおける第一のフレームが患者の前記部分の第一の領域からの磁気共鳴画像データに対応し、フレームの前記シーケンスにおける第二のフレームが、前記第一の領域の部分領域からの磁気共鳴画像データに対応する、態様４６記載の方法。
〔態様４９〕
前記部分領域は、前記生物学的主題の変化がどこで検出されるかに基づいて選択される、態様４８記載の方法。
〔態様５０〕
患者の前記部分の生物学的主題の変化のレートを検出することをさらに含む、態様４７記載の方法。
〔態様５１〕
前記第一の磁気共鳴画像データおよび前記第二の磁気共鳴画像データを整列させ、患者の前記部分の前記生物学的主題における少なくとも一つの変化を検出することが：
整列された第一の磁気共鳴画像データを、トレーニングされた統計的分類器に入力として提供して、対応する第一の出力を得て；
整列された第二の磁気共鳴画像データを、前記トレーニングされた統計的分類器に入力として提供して、対応する第二の出力を得ることを含む、
態様３８記載の方法。
〔態様５２〕
前記比較することがさらに：
前記第一の出力および前記第二の出力を使って出血のサイズの変化を決定することを含む、
態様５１記載の方法。
〔態様５３〕
前記比較することがさらに：
前記第一の出力および前記第二の出力を使って正中線偏位の変化の度合いを決定することを含む、
態様５１記載の方法。
〔態様５４〕
低磁場磁気共鳴撮像装置に関して位置される患者の生物学的主題における変化を検出するよう構成された低磁場磁気共鳴撮像装置であって、当該装置は：
少なくとも部分的にB0磁場を生成するよう構成されたB0磁石；磁気共鳴データを空間的にエンコードするよう構成された少なくとも一つの傾斜磁石；および磁気共鳴応答を誘発するよう構成された少なくとも一つの高周波コイルおよび動作させられたときに磁気共鳴画像データを取得するよう構成された検出磁気コンポーネントを含む複数の磁気コンポーネントと；
患者が当該低磁場磁気共鳴装置内に位置されたままである間に、患者の一部分の第一の磁気共鳴画像データを取得し；前記第一の磁気共鳴画像データを取得した後に患者の前記部分の第二の磁気共鳴画像データを取得するよう前記複数の磁石コンポーネントを動作させるよう構成された少なくとも一つのコントローラとを有しており、
前記少なくとも一つのコントローラはさらに、前記第一の磁気共鳴画像データおよび前記第二の磁気共鳴画像データを整列させ；整列された第一の磁気共鳴画像データおよび第二の磁気共鳴画像データを比較して、患者の前記部分の前記生物学的主題における少なくとも一つの変化を検出するよう構成される、
低磁場磁気共鳴撮像装置。
〔態様５５〕
前記少なくとも一つのコントローラが、患者の前記部分の前記生物学的主題における前記少なくとも一つの変化に基づいて、少なくとも一つの取得パラメータを修正するよう構成される、態様５４記載の低磁場磁気共鳴撮像装置。
〔態様５６〕
前記少なくとも一つのコントローラが、前記修正された少なくとも一つの取得パラメータを使って患者の前記部分の第三の磁気共鳴画像データを取得するよう構成される、態様５４記載の低磁場磁気共鳴撮像装置。
〔態様５７〕
前記少なくとも一つの取得パラメータが、前記第三の磁気共鳴画像データの分解能、信号対雑音比および視野のうちの少なくとも一つを変えるよう修正される、態様５６記載の低磁場磁気共鳴撮像装置。
〔態様５８〕
前記少なくとも一つのコントローラが、磁気共鳴画像データのフレームのシーケンスを得るよう磁気共鳴画像データを取得するよう構成される、態様５４記載の低磁場磁気共鳴撮像装置。
〔態様５９〕
前記フレームのシーケンスが、患者が当該低磁場磁気共鳴撮像装置内に位置されたままである間に、１時間より長い時間期間にわたって取得される、態様５８記載の低磁場磁気共鳴撮像装置。
〔態様６０〕
前記フレームのシーケンスが、患者が当該低磁場磁気共鳴撮像装置内に位置されたままである間に、２時間より長い時間期間にわたって取得される、態様５８記載の低磁場磁気共鳴撮像装置。
〔態様６１〕
前記フレームのシーケンスが、患者が当該低磁場磁気共鳴撮像装置内に位置されたままである間に、５時間より長い時間期間にわたって取得される、態様５８記載の低磁場磁気共鳴撮像装置。
〔態様６２〕
前記少なくとも一つのコントローラが：
前記シーケンスのフレームのうち少なくとも二つのフレームを整列させ；
患者の前記部分の前記生物学的主題における少なくとも一つの変化をするよう、整列された前記少なくとも二つのフレームを比較するよう構成される、
態様５８記載の低磁場磁気共鳴撮像装置。
〔態様６３〕
前記少なくとも一つの変化が、前記シーケンスのフレームのうち前記少なくとも二つのフレームの間での生物学的主題の体積および／または量の変化を計算するために使われる、態様６２記載の低磁場磁気共鳴撮像装置。
〔態様６４〕
フレームの前記シーケンスにおける第一のフレームが患者の前記部分の第一の領域からの磁気共鳴画像データに対応し、フレームの前記シーケンスにおける第二のフレームが、前記第一の領域の部分領域からの磁気共鳴画像データに対応する、態様６２記載の低磁場磁気共鳴撮像装置。
〔態様６５〕
前記部分領域は、前記生物学的主題の変化がどこで検出されるかに基づいて選択される、態様６４記載の低磁場磁気共鳴撮像装置。
〔態様６６〕
前記少なくとも一つのコントローラが、患者の前記部分の生物学的主題の変化のレートを検出するよう構成される、態様６２記載の低磁場磁気共鳴撮像装置。
〔態様６７〕
少なくとも一つのコンピュータ・ハードウェア・プロセッサによって実行されたときに該少なくとも一つのコンピュータ・ハードウェア・プロセッサに、低磁場磁気共鳴撮像（MRI）装置内に位置される患者の生物学的主題における変化を検出する方法を実行させるプロセッサ実行可能命令を記憶している少なくとも一つの非一時的コンピュータ可読記憶媒体であって、前記方法は：
患者が前記低磁場MRI装置内に位置されたままである間に：
患者の一部分の第一の磁気共鳴画像データを取得し；
前記第一の磁気共鳴画像データを取得した後に患者の前記部分の第二の磁気共鳴画像データを取得し；
前記第一の磁気共鳴画像データおよび前記第二の磁気共鳴画像データを整列させ；
整列された第一の磁気共鳴画像データおよび第二の磁気共鳴画像データを比較して、患者の前記部分の前記生物学的主題における少なくとも一つの変化を検出することを含む、
媒体。
〔態様６８〕
少なくとも一つのコンピュータ・ハードウェア・プロセッサと；
前記少なくとも一つのコンピュータ・ハードウェア・プロセッサによって実行されたときに前記少なくとも一つのコンピュータ・ハードウェア・プロセッサに、低磁場磁気共鳴撮像（MRI）装置内に位置される患者の生物学的主題における変化を検出する方法を実行させるプロセッサ実行可能命令を記憶している少なくとも一つの非一時的コンピュータ可読記憶媒体とを有するシステムであって、前記方法は：
患者が前記低磁場MRI装置内に位置されたままである間に：
患者の一部分の第一の磁気共鳴画像データを取得し；
前記第一の磁気共鳴画像データを取得した後に患者の前記部分の第二の磁気共鳴画像データを取得し；
前記第一の磁気共鳴画像データおよび前記第二の磁気共鳴画像データを整列させ；
整列された第一の磁気共鳴画像データおよび第二の磁気共鳴画像データを比較して、患者の前記部分の前記生物学的主題における少なくとも一つの変化を検出することを含む、
システム。